(57)【要約】【課題】液晶表示素子の冷却効率を向上させる。【解決手段】光源１０と、照明光学系１１乃至２７と、液晶表示素子２０Ｒ、Ｇ、Ｂと、投写レンズ２８と、液晶表示素子２０を制御する制御回路チップ４０が設けられた回路基板５と、液晶表示素子２０と制御回路チップ４０とを接続するフレキシブルケーブル５０と、回路基板５に対して液晶表示素子２０Ｒ、Ｇ、Ｂ側で、光路外に配置され、液晶表示素子２０を冷却する送風手段６とを備え、回路基板５には、送風手段６から発生した空気を、液晶表示素子２０とは反対側の面に向かって排気する開口部４２を形成し、フレキシブルケーブル５０には、空気が開口部４２から排気されるように空気の流路と対向する位置に空気を開口部４２に導く導風手段５３を設ける。【選択図】  図１
2008298998.tif 000002
【特許請求の範囲】
【請求項１】
光源と、この光源から出射された光を所定の光路に集光させる照明光学系と、この照明光学系によって集光された光を光変調する液晶表示素子と、この液晶表示素子によって光変調された光を拡大投写する投写レンズとを備えた映像表示装置において、
上記液晶表示素子の近傍に配置され、上記液晶表示素子を制御する制御回路チップが設けられた回路基板と、
上記液晶表示素子と上記回路基板の制御回路チップとを電気的に接続するフレキシブルケーブルと、
上記回路基板に対して上記液晶表示素子側で、光の光路外に配置され、上記液晶表示素子を冷却する送風手段とを備え、
上記回路基板には、上記送風手段で発生した空気を、上記液晶表示素子とは反対側の面に向かって排気する開口部が形成され、
上記フレキシブルケーブルには、上記送風手段から上記回路基板の開口部に向かって流れる空気の流路中に位置する部分に、上記回路基板の開口部から空気が排気されるように上記空気を導く導風手段が設けられていることを特徴とする映像表示装置。
【請求項２】
上記フレキシブルケーブルは、一端が上記液晶表示素子に電気的に接続され、他端が上記制御回路チップと電気的に接続された接続手段に電気的に接続され、
上記導風手段は、上記フレキシブルケーブルの配線間に形成された通気孔であることを特徴とする請求項１記載の映像表示装置。
【請求項３】
上記制御回路チップは、上記回路基板の上記液晶表示素子とは反対側の面に設けられ、
上記フレキシブルケーブルは、上記他端が上記回路基板の開口部に挿通されて、上記制御回路チップと電気的に接続されていることを特徴とする請求項２記載の映像表示装置。
【請求項４】
上記通気孔は、上記フレキシブルケーブルの互いに略平行に略直線状に並列された配線間に形成されていることを特徴とする請求項２記載の映像表示装置。
【発明の詳細な説明】
【技術分野】
【０００１】
本発明は、送風手段による液晶表示素子の冷却効率が良好な映像表示装置に関する。
【背景技術】
【０００２】
映像表示装置としては、例えば、光源から出射される光を赤、緑、青の波長帯域に応じてダイクロイックミラー等からなる照明光学系で色毎に分離し、分離した各色の光を赤、緑、青のそれぞれの液晶表示パネルにより変調し、変調された後、色合成プリズムで再び合成して、スクリーン等の投写面にカラー画像を拡大投写する液晶プロジェクタ装置がある。
【０００３】
この液晶プロジェクタ装置では、その特性を示す指標の１つに明るさがある。明るさは、蛍光灯や外光のある環境下で、どれくらい投写画像が見えやすいかを示す重要な指標となる。液晶プロジェクタ装置では、明るいほど、投写画像の画品位が良くなり、見えやすくなる。明るい液晶プロジェクタ装置を実現するためには、光源の消費電力を上げたり、照明光学系の光利用効率を上げたりすることが行われている。このような液晶プロジェクタ装置では、光源の消費電力を上げたり、照明光学系の光利用効率を上げたりすることによって、各色の液晶表示パネルにより大きな光量の光が照射されるようになり、これによる発熱で液晶表示パネルの温度が上昇してしまう。液晶表示パネルでは、温度が上昇すると、液晶の配向が乱れ、その結果、投写画像の画品位が低下してしまう。このため、液晶表示パネルでは、温度をある一定の温度以下に制御する必要がある。液晶プロジェクタ装置では、液晶表示パネルをある一定温度以下に制御することができるものとして、下記の特許文献１に記載されているような水冷式のものがある。
【０００４】
しかしながら、液晶プロジェクタ装置では、高輝度化、高精細化と共に、小型化及び軽量化することが求められており、冷却水を流すための循環部材を設けると、小型化及び軽量化することが困難となる。
【０００５】
そこで、液晶プロジェクタ装置では、液晶表示パネルの近傍にファンを設けて、冷却風を液晶表示パネルに送り、ファンのみで液晶表示パネルを冷却することで、小型化及び軽量化を維持したまま、液晶表示パネルを冷却するものがある。
【０００６】
しかしながら、ファンを用いた液晶プロジェクタ装置では、ファンから送り出された空気を効率よく排気口に流れるようにしなければ、液晶表示パネルを冷却した空気が内部に籠もり、液晶表示パネルの冷却効率が低下してしまう。液晶プロジェクタ装置では、装置を小型化するため、照明光学系や液晶表示パネル等が密に配置されていることから、空気が流れにくく、液晶表示パネルの冷却効率が低下しやすくなる。このような液晶プロジェクタ装置では、冷却効率が低下することによって、液晶表示パネルを一定の温度以下に制御することが困難となる。
【０００７】
このため、このような液晶プロジェクタ装置では、液晶表示パネルの温度上昇を抑えるため、ファンの風量を増やさなければならず、ファンの騒音や消費電力が増大し、ファンを大型なものとする必要があり、装置の小型化の妨げとなる。
【０００８】
そこで、液晶プロジェクタ装置では、小型化を維持したまま、ファンによる冷却効率を向上させることが求められている。
【０００９】
【特許文献１】特開２００５−２２７６８５号公報
【発明の開示】
【発明が解決しようとする課題】
【００１０】
そこで、本発明は、上述のような問題に鑑みてなされたものであり、小型化を維持したまま、液晶表示素子の冷却効率を良くし、優れた画品位の画像を映し出すことができる映像表示装置を提供することを目的とする。
【課題を解決するための手段】
【００１１】
上述した目的を達成するために、本発明に係る映像表示装置は、光源と、この光源から出射された光を所定の光路に集光させる照明光学系と、この照明光学系によって集光された光を光変調する液晶表示素子と、この液晶表示素子によって光変調された光を拡大投写する投写レンズと、液晶表示素子の近傍に配置され、液晶表示素子を制御する制御回路チップが設けられた回路基板と、液晶表示素子と回路基板の制御回路チップとを電気的に接続するフレキシブルケーブルと、回路基板に対して液晶表示素子側で、光の光路外に配置され、液晶表示素子を冷却する送風手段とを備え、回路基板には、送風手段で発生した空気を、液晶表示素子とは反対側の面に向かって排気する開口部が形成され、フレキシブルケーブルには、送風手段から回路基板の開口部に向かって流れる空気の流路中に位置する部分に、回路基板の開口部から空気が排気されるように空気を導く導風手段が設けられていることを特徴とする。
【発明の効果】
【００１２】
本発明によれば、回路基板の開口部を介して、回路基板の液晶表示素子側から液晶表示素子とは反対側の面に向かって送風手段の空気を通して排気する際に、回路基板の液晶表示素子側から液晶表示素子とは反対側の面に向かって流れる空気の流路中に位置する液晶表示素子と回路基板の制御回路チップとを電気的に接続するフレキシブルケーブルに、空気が液晶素子側から開口部を介して回路基板の液晶表示素子とは反対側の面に排気されるように空気を導く導風手段が設けられていることによって、開口部を流れる空気の流れが良くなり、液晶素子側の空気が開口部から排気されやすくなり、液晶表示素子の冷却効率を向上させることができる。
【００１３】
これにより、本発明では、光源の消費電力を上げて、明るくしても、液晶表示素子の温度が上がり過ぎず、液晶の配向が乱れることを防止できるため、高品位な画像を映し出すことができる。また、本発明では、液晶表示素子を冷却する際に、送風手段の風力を増やしたり、送風手段を大きくする必要がないため、送風手段の消費電力の増大や装置が大型化することを防止でき、小型化を維持したまま、液晶表示素子の冷却効率が向上し、映し出す画像の画品位を優れたものとすることができる。
【発明を実施するための最良の形態】
【００１４】
以下、本発明が適用された液晶プロジェクタ装置について、図面を参照しながら詳細に説明する。この液晶プロジェクタ装置は、例えば、Ｒ（赤）、Ｇ（緑）、Ｂ（青）の各色の光に対応する３枚の透過型の液晶表示パネルを用いてフルカラー映像を投写する３板方式のものである。
【００１５】
液晶プロジェクタ装置１は、図１乃至図３に示すように、筐体２中に、スクリーン３に投写する画像を形成する画像形成部４と、この画像形成部４の上部に、画像形成部４を制御する制御回路が形成された回路基板５と、この画像形成部４の下部に、画像形成部４を冷却する送風手段のファン６とが設けられている。この液晶プロジェクタ装置１では、画像形成部４の温度が上昇した際に、画像形成部４の下部から回路基板５が設けられている上部に向かって、ファン６で空気を送り、画像形成部４を冷却する。この際、画像形成部４を冷却した空気は、回路基板５の画像形成部４とは反対側の面５ａ側に送られ、筐体２に設けられた排気口２ｃから外部に排気される。
【００１６】
筐体２は、図１に示すように、内部に画像形成部４や回路基板５等が収納できるように、上部筐体２ａと下部筐体２ｂとを突き合わせて結合したものである。上部筐体２ａには、側面に、内部の空気を排気するための排気口２ｃが形成されている。下部筐体２ｂには、側面に、外部から空気を吸気するための吸気口２ｄ及び画像形成部４の投写レンズ２８を露出させる図示しない開口部が形成されている。なお、上部筐体２ａには、内面に、内部の空気が排気口２ｃに向かって流れやすくなるように、後述する回路基板５の開口部４２と対向する位置から排気口２ｃまで凹状の溝やガイド片等が設けられていてもよい。上部筐体２ａに溝やガイド片を設けることによって、内部の空気を効率良く排気口２ｃから外部に排気させることできる。
【００１７】
この筐体２内に収納された画像形成部４は、図１及び図２に示すように、光源１０と、照明光学系の一部を構成するＵＶフィルタ（紫外線遮断フィルタ）１１と、第１のマルチレンズアレイ１２と、第２のマルチレンズアレイ１３と、ＰＳ分離合成素子１４と、コンデンサレンズ１５と、第１のダイクロイックミラー１６とを有する。
【００１８】
光源１０は、カラー画像表示に必要とされる、赤色成分、青色成分及び緑色成分を含んだ白色光を発するハロゲンランプ等であり、リフレクタ等で集光する。
【００１９】
ＵＶフィルタ（紫外線遮断フィルタ）１１は、光源１０から出射された光が透過し、光中の紫外線を遮断する。
【００２０】
第１のマルチレンズアレイ１２及び第２のマルチレンズアレイ１３は、それぞれ複数のマイクロレンズが２次元的に配列されている。第１のマルチレンズアレイ１２、第２のマルチレンズアレイ１３は、光の照度分布を均一化させるためのものであり、ＵＶフィルタ１１を透過した光が入射し、入射光を複数の光に分割する。
【００２１】
ＰＳ分離合成素子１４は、第１のマルチレンズアレイ１２、第２のマルチレンズアレイ１３を透過した光が入射し、入射光をＰ偏光成分及びＳ偏光成分の偏光に分離する。ＰＳ分離合成素子１４から出射した光は、コンデンサレンズ１５によって集光されて、第１のダイクロイックミラー１６に入射する。
【００２２】
第１のダイクロイックミラー１６は、コンデンサレンズ１５を透過した光の光路に対して４５°の角度となされて設置され、コンデンサレンズ１５を透過した光のうち、例えば赤色光ＬＲを透過させ、緑色光ＬＧ及び青色光ＬＢを反射させることにより、入射光を赤色光ＬＲと、緑色光ＬＧ及び青色光ＬＢとに色分解する。
【００２３】
更に、液晶プロジェクタ装置１は、第１のダイクロイックミラー１６によって色分解された赤色光ＬＲの光路に沿って、ミラー１７と、フィールドレンズ１８Ｒと、入射側偏光板１９Ｉと、赤色光の液晶表示パネル２０Ｒと、出射側偏光板２１Ｓとを有する。
【００２４】
ミラー１７としては、例えば全反射ミラーが用いられる。ミラー１７は、第１のダイクロイックミラー１６によって色分解された赤色光ＬＲをフィールドレンズ１８Ｒに向けて反射する。
【００２５】
入射側偏光板１９Ｉは、フィールドレンズ１８Ｒを透過した赤色光ＬＲのうち、偏光軸に一致する方向の光を透過させる。
【００２６】
液晶表示パネル２０Ｒは、入射側偏光板１９Ｉを透過した赤色光ＬＲが入射され、入射された赤色光ＬＲを入力される画像データに応じて空間的に変調する。
【００２７】
具体的に、液晶表示パネル２０Ｒは、図４に示すように、液晶を備える液晶表示部３０と、この液晶表示部３０を支持するフレーム３１とからなる。なお、詳細を図示しないが、液晶表示部３０には、フレーム３１に支持されている面とは反対側の面に遮光板が取り付けられている。
【００２８】
液晶表示部３０は、画素に対応して画素電極が配されたＴＦＴ（ｔｈｉｎ  ｆｉｌｍ  ｔｒａｎｓｉｓｔｏｒ）基板と、このＴＦＴ基板に対向（対面）配置され、画素電極に対向する対向電極が配された対向基板と、対向するＴＦＴ基板と対向基板との間に配置される液晶層とからなる。液晶表示部３０は、ＴＦＴ基板と対向基板の対向した電極間に電圧を印加し、液晶層の液晶分子のダイレクタ配向方向を一方向にし、一軸性の複屈折率異方性を発現することで、透過光量を制御することができ、赤色光ＬＲに対して映像信号に応じた光変調を行なう。
【００２９】
この液晶表示部３０を支持するフレーム３１は、液晶表示部３０を支持する枠体からなり、液晶表示部３０の赤色光ＬＲの出射側に配される。フレーム３１は、例えば、熱伝導性に優れたアルミニウム（Ａｌ）等の金属部材、又は同じく熱伝導性に優れた樹脂部材で形成されている。
【００３０】
液晶表示部３０を挟んでフレーム３１と対向配置される遮光板は、液晶表示部３０の赤色光ＬＲの入射側に配されるものであり、液晶表示パネル２０Ｒの有効画素部分以外への光の入射を遮るものである。このような遮光板は、有効画素部分に応じた形状の開口部を熱伝導性に優れた金属板又は樹脂板等に形成したものである。
【００３１】
このような液晶表示パネル２０Ｒの出射側に設けられる出射側偏光板２１Ｓは、液晶表示パネル２０Ｒで光変調された赤色光ＬＲうち、偏光軸に一致する方向の光を透過させる。
【００３２】
また、液晶プロジェクタ装置１は、第１のダイクロイックミラー１６によって色分解された緑色光ＬＧ及び青色光ＬＢの光路に沿って、照明光学系の一部を構成する第２のダイクロイックミラー２２を有している。この第２のダイクロイックミラー２２は、第１のダイクロイックミラー１６から出射した光のうち、例えば緑色光ＬＧを反射して青色光ＬＢを透過することにより、入射した光を緑色光ＬＧと青色光ＬＢとに色分解する。
【００３３】
第２のダイクロイックミラー２２によって色分解された緑色光ＬＧの光路には、照明光学系の一部を構成するフィールドレンズ１８Ｇと、入射側偏光板１９Ｉと、緑色光の液晶表示パネル２０Ｇと、出射側偏光板２１Ｓとが設けられている。
【００３４】
入射側偏光板１９Ｉは、第２のダイクロイックミラー２２からフィールドレンズ１８Ｇを透過した緑色光ＬＧが入射し、入射した緑色光ＬＧのうち、偏光軸に一致する方向の緑色光ＬＧを透過させる。
【００３５】
液晶表示パネル２０Ｇは、入射側偏光板１９Ｉを透過した緑色光ＬＧが入射し、入射した緑色光ＬＧを入力される画像データに応じて空間的に光変調する。液晶表示パネル２０Ｇは、上述した赤色の液晶表示パネル２０Ｒと同様であるため、詳細な説明を省略する。
【００３６】
出射側偏光板２１Ｓは、液晶表示パネル２０Ｇで光変調された緑色光ＬＧのうち、偏光軸に一致する方向の緑色光ＬＧを通過させる。
【００３７】
さらに、第２のダイクロイックミラー２２によって色分解された青色光ＬＢの光路に沿って、照明光学系の一部を構成するリレーレンズ２３と、ミラー２４と、リレーレンズ２５と、ミラー２６と、フィールドレンズ１８Ｂと、入射側偏光板１９Ｉと、青色光の液晶表示パネル２０Ｂと、出射側偏光板２１Ｓとが設けられている。
【００３８】
ミラー２４，２６は、例えば全反射ミラーである。ミラー２４は、第２のダイクロイックミラー２２からリレーレンズ２３を透過した青色光ＬＢが入射し、入射した青色光ＬＢをリレーレンズ２５に向けて反射する。また、ミラー２６は、ミラー２４によって反射され、リレーレンズ２５を透過した青色光ＬＢが入射し、入射した青色光ＬＢをフィールドレンズ１８Ｂに向けて反射する。
【００３９】
入射側偏光板１９Ｉは、ミラー２６で反射された青色光ＬＢが入射し、入射した青色光ＬＢのうち、偏光軸に一致する方向の光を通過させる。
【００４０】
液晶表示パネル２０Ｂは、入射側偏光板１９Ｉを透過した青色光ＬＢが入射し、入射した青色光ＬＢを、入力される画像データに応じて空間的に光変調する。液晶表示パネル２０Ｂは、上述した赤色光の液晶表示パネル２０Ｂと同様であるため、詳細な説明は省略する。
【００４１】
出射側偏光板２１Ｓは、液晶表示パネル２０Ｂで変調された青色光ＬＢが入射し、入射した青色光ＬＢのうち、偏光軸に一致する方向の青色光ＬＢを通過させる。
【００４２】
各液晶表示パネル２０Ｒ、２０Ｇ、２０Ｂから出射された赤色光ＬＲ、緑色光ＬＧ及び青色光ＬＢは、これら３つの色光を合成する機能を有したクロスプリズム２７によって合成される。
【００４３】
クロスプリズム２７は、赤色光ＬＲ、緑色光ＬＧ、青色光ＬＢがそれぞれ入射する入射面２７Ｒ、２７Ｇ、２７Ｂ及び赤色光ＬＲ、緑色光ＬＧ、青色光ＬＢが合成された光が出射する出射面２７Ｔを有する４つの直角プリズムを接合して構成されている。
【００４４】
クロスプリズム２７は、入射した緑色光ＬＧを出射面２７Ｔ側に向けて透過し、赤色光ＬＲ及び青色光ＬＢを出射面２７Ｔ側に向けて反射するように、ダイクロイック膜が各直角プリズムの接合面にコートされている。これにより、クロスプリズム２７は、入射面２７Ｒ、２７Ｇ、２７Ｂに入射した３つの色光を合成して出射面２７Ｔから投写レンズ２８に向かって出射する。
【００４５】
投写レンズ２８は、クロスプリズム２７から出射された合成光を、スクリーン３に向けて投写する。投写レンズ２８は、好適には複数のレンズからなり、スクリーン３に投写する画像の大きさを調整するズーム機能やフォーカス機能を有する。
【００４６】
このような構成からなる画像形成部４の上部に設けられた回路基板５は、図３に示すように、画像形成部４とは反対側の面５ａ上に、画像形成部４の各液晶表示パネル２０Ｒ、２０Ｇ、２０Ｂをそれぞれ駆動制御する制御回路チップ４０Ｒ、４０Ｇ、４０Ｂ（制御回路チップ４０Ｇについては図示を省略する）が設けられている。また、回路基板５の画像形成部４とは反対側の面５ａには、図１及び図３に示すように、制御回路チップ４０Ｒ、４０Ｇ、４０Ｂと各液晶表示パネル２０Ｒ、２０Ｇ、２０Ｂに接続されているフレキシブルケーブル５０Ｒ、５０Ｇ、５０Ｂを電気的に接続する接続手段のコネクタ４１Ｒ、４１Ｇ、４１Ｂが設けられている。制御回路チップ４０Ｒ、４０Ｇ、４０Ｂは、各液晶表示パネル２０Ｒ、２０Ｇ、２０Ｂの電極を駆動する駆動信号を出力して、各液晶表示パネル２０Ｒ、２０Ｇ、２０Ｂの駆動を制御する。また、回路基板５には、各液晶表示パネル２０Ｒ、２０Ｇ、２０Ｂと対向する位置に、各液晶表示パネル２０Ｒ、２０Ｇ、２０Ｂに接続されたフレキシブルケーブル５０Ｒ、５０Ｇ、５０Ｂを画像形成部４とは反対側の面５ａ側に挿通させるための開口部４２が形成されている。この開口部４２は、画像形成部４の下部に設けられた送風手段のファン６から送り出された空気を排気口２ｃが設けられた筐体２の上部、即ち回路基板５の面５ａ側に送り出すための排気口としても機能する。
【００４７】
液晶表示パネル２０Ｒ、２０Ｇ、２０Ｂの冷却する送風手段のファン６は、赤色光ＬＲ、緑色光ＬＧ、青色光ＬＢの光路外に設けられ、例えば、図１及び図３に示すように、各液晶表示パネル２０Ｒ、２０Ｇ、２０Ｂの下部に設けられる。このファン６は、入射光によって各液晶表示パネル２０Ｒ、２０Ｇ、２０Ｂの温度が上昇し過ぎないように、液晶表示パネル２０Ｒ、２０Ｇ、２０Ｂを冷却するものである。ファン６から送り出された空気は、液晶表示パネル２０Ｒ、２０Ｇ、２０Ｂと入射側偏光板１９Ｉや出射側偏光板２１Ｓとの間を通り、更に回路基板５の開口部４２を通って筐体２の上部に向かって直線状に、図３中の矢印で示すように、空気の流路を形成する。送り出された空気は、開口部４２から上部筐体２ａの側面に設けられた排気口２ｃから外部に排気される。
【００４８】
画像形成部４では、図１及び図３に示すように、液晶表示パネル２０Ｒ、２０Ｇ、２０Ｂと回路基板５に設けられた制御回路チップ４０Ｒ、４０Ｇ、４０Ｂとがフレキシブルケーブル５０Ｒ、５０Ｇ、５０Ｂで電気的に接続されている。このフレキシブルケーブル５０Ｒ、５０Ｇ、５０Ｂは、一端が液晶表示パネル２０Ｒ、２０Ｇ、２０ＢのＴＦＴ基板と電気的に接続され、他端が回路基板５に設けられたコネクタ４１Ｒ、４１Ｇ、４１Ｂと電気的に接続されている。このフレキシブルケーブル５０Ｒ、５０Ｇ、５０Ｂは、液晶表示パネル２０Ｒ、２０Ｇ、２０Ｂと制御回路チップ４０Ｒ、４０Ｇ、４０Ｂとを電気的に接続して、制御回路チップ４０Ｒ、４０Ｇ、４０Ｂから出力された信号をコネクタ４１Ｒ、４１Ｇ、４１Ｂを介して液晶表示パネル２０Ｒ、２０Ｇ、２０Ｂに供給する。
【００４９】
このフレキシブルケーブル５０Ｒ、５０Ｇ、５０Ｂは、図１及び図３に示すように、回路基板５の下に配置された各液晶表示パネル２０Ｒ、２０Ｇ、２０Ｂの一方の長辺側の端部に一端が接続され、他端が回路基板５に形成された開口部４２を挿通して、回路基板５の画像形成部４とは反対側の面５ａ側に導出され、この面５ａ上に設けられた制御回路チップ４０Ｒ、４０Ｇ、４０Ｂと接続されたコネクタ４１Ｒ、４１Ｇ、４１Ｂと電気的に接続される。
【００５０】
このフレキシブルケーブル５０は、開口部４２を挿通して、他端が制御回路チップ４０Ｒ、４０Ｇ、４０Ｂと接続されているため、開口部４２を通る空気の流路中に一部が位置する。このため、フレキシブルケーブル５０は、開口部４２を挿通して、液晶表示パネル２０Ｒ、２０Ｇ、２０Ｂと制御回路チップ４０と電気的に接続するにあたって、開口部４２を通る空気の流路を遮断しないように、少なくとも空気の流路と対向する部分に、空気を開口部４２に導く導風手段の通気孔５３を設けている。通気孔５３は、例えば、図４及び図５に示すように、フレキシブルケーブル５０の配線５１間の絶縁体領域５２に形成され、配線５１と略平行方向にスリット状の貫通孔である。フレキシブルケーブル５０には、スリット状の通気孔５３が幅方向に１つ以上形成されている。また、導風手段としては、図４に示すような通気孔５３に限定されず、図６及び図７に示すように、略円形状の通気孔５４を配線５１と略平行方向に直線的に複数並設したものを幅方向に複数並設したものであってもよい。
【００５１】
また、フレキシブルケーブル５０は、図８及び図９に示すように、液晶表示パネル２０Ｒ、２０Ｇ、２０Ｂの一方の短辺側の端部から導出させるようにしてもよい。なお、これらの通気孔５３、５４の数や大きさは、フレキシブルケーブル５０の大きさや排気する空気の量によって適宜変更して設ける。なお、この導風手段としては、このような形状の通気孔５３、５４に限定されず、空気を通すことが可能であればどのような形状であってもよい。
【００５２】
フレキシブルケーブル５０は、通気孔５３が設けられていることによって、液晶表示パネル２０Ｒ、２０Ｇ、２０Ｂの下部から開口部４２を介して回路基板５の画像形成部４とは反対側の面５ａ側に排気されるファン６から送り出された空気の流路を遮断せず、通気孔５３で空気を通し、液晶表示パネル２０Ｒ、２０Ｇ、２０Ｂの下部から流れてきた空気が開口部４２を通りやすくする。
【００５３】
フレキシブルケーブル５０では、配線５１間に通気孔５３を設けているため、フレキシブルケーブル５０の形状が大きくなることを防止できる。また、このフレキシブルケーブル５０では、配線５１の長さが通気孔５３を設けていないものとほとんど変わらないため、ＥＭＩ（電磁干渉）の影響度もほとんど変わることがない。また、フレキシブルケーブル５０では、配線５１間の絶縁体領域５２に貫通孔を形成するだけで、通気孔５３を形成することができるため、コストを削減することができる。
【００５４】
以上のような構成からなる液晶プロジェクタ装置１は、上述したように、光源１０からの出射された光がＵＶフィルタ１１、第１のマルチレンズアレイ１２、第２のマルチレンズアレイ１３、ＰＳ分離合成素子１４及びコンデンサレンズ１５を通過し、第１のダイクロイックミラー１６に入射した光のうち赤色光ＬＲをミラー１７で液晶表示パネル２０Ｒに入射し、第２のダイクロイックミラー２２により緑色光ＬＧを液晶表示パネル２０Ｇに入射し、青色光ＬＢをリレーレンズ２３、２５及びミラー２４、２６により液晶表示パネル２０Ｂに入射し、各液晶表示パネル２０Ｒ、２０Ｇ、２０Ｂから出射した各色の光をクロスプリズム２７で合成し、合成光を投写レンズ２８によってスクリーン３に投写してフルカラー画像を映し出す。
【００５５】
この液晶プロジェクタ装置１では、各液晶表示パネル２０Ｒ、２０Ｇ、２０Ｂに光が入射することによって、温度が上昇するため、液晶表示パネル２０Ｒ、２０Ｇ、２０Ｂの下部から上部に向かってファン６で空気を送り、液晶表示パネル２０Ｒ、２０Ｇ、２０Ｂを冷却する。
【００５６】
この液晶プロジェクタ装置１では、液晶表示パネル２０Ｒ、２０Ｇ、２０Ｂを冷却する空気が、液晶表示パネル２０Ｒ、２０Ｇ、２０Ｂの下部から上部に向かって流れ、更に、回路基板５の開口部４２を介して、回路基板５の画像形成部４とは反対側の面５ａ側に流れ、上部筐体２ａの側面に形成された排気口２ｃまで流れ、空気の流路を形成し、排気口２ｃから排気される。
【００５７】
この液晶プロジェクタ装置１では、空気が流れる回路基板５の開口部４２に挿通しているフレキシブルケーブル５０の空気の流路と対向する位置に、スリット状の通気孔５３が形成されていることによって、ファン６から送られた空気が開口部４２を通る際に、フレキシブルケーブル５０の通気孔５３を通ることによって、フレキシブルケーブル５０に遮られることなく、空気が開口部４２を通ることができ、排気口２ｃまでの空気の流れが良くなる。これにより、この液晶プロジェクタ装置１では、回路基板５を挟んで、液晶表示パネル２０Ｒ、２０Ｇ、２０Ｂ側から開口部４２を介して面５ａ側に向かって空気が流れ、液晶表示パネル２０Ｒ、２０Ｇ、２０Ｂを冷却した空気の流れが良くなり、空気が排気口２ｃから効率よく排気され、液晶表示パネル２０Ｒ、２０Ｇ、２０Ｂを冷却した空気が内部に籠もらず、液晶表示パネル２０Ｒ、２０Ｇ、２０Ｂの冷却効率を向上させることができる。これにより、この液晶プロジェクタ装置１では、液晶表示パネル２０Ｒ、２０Ｇ、２０Ｂを一定温度以下に制御することができ、光源１０の消費電力を上げて、明るくしても、液晶表示パネル２０Ｒ、２０Ｇ、２０Ｂの温度が上がり過ぎず、液晶の配向が乱れることを防止でき、スクリーン３に投写した画像の画品位が低下することなく、高品位な画像を映し出すことができる。また、この液晶プロジェクタ装置１では、液晶表示パネル２０Ｒ、２０Ｇ、２０Ｂを効率良く冷却することができることによって、ファン６の風量を増やしたり、ファン６を大きくする必要がないため、騒音やファン６の消費電力の増大を防止できる。また、この液晶プロジェクタ装置１では、液晶表示パネル２０Ｒ、２０Ｇ、２０Ｂを冷却した空気が回路基板５の画像形成部４とは反対側の面５ａ側に流れ込み、画像形成部４が配置されている側に流れにくくなるため、冷却後の空気が画像形成部４側に籠もることも防止できる。これらのことから、この液晶プロジェクタ装置１では、装置を小型化したまま、液晶表示パネル２０Ｒ、２０Ｇ、２０Ｂの冷却効率を向上させることができ、高品位な画像を映し出すことができる。
【００５８】
なお、上述した液晶プロジェクタ装置１は、回路基板５の画像形成部４とは反対側の面５ａに制御回路チップ４０Ｒ、４０Ｇ、４０Ｂ及びコネクタ４１Ｒ、４１Ｇ、４１Ｂを設けたが、このことに限定されず、画像形成部４側の面５ｂに制御回路チップ４０Ｒ、４０Ｇ、４０Ｂ及びコネクタ４１Ｒ、４１Ｇ、４１Ｂを設け、コネクタ４１Ｒ、４１Ｇ、４１Ｂを介して制御回路チップ４０Ｒ、４０Ｇ、４０Ｂと液晶表示パネル２０Ｒ、２０Ｇ、２０Ｂとをフレキシブルケーブル５０Ｒ、５０Ｇ、５０Ｂで電気的に接続するようにしてもよい。この液晶プロジェクタ装置１では、ファン６から送り出された空気を筐体２の排気口２ｃから排気するために、回路基板５に開口部４２を形成する。フレキシブルケーブル５０Ｒ、５０Ｇ、５０Ｂには、開口部４２と対向する位置に、通気孔５３を形成する。この液晶プロジェクタ装置１では、液晶表示パネル２０Ｒ、２０Ｇ、２０Ｂの下部に配置されたファン６から送り出された空気が通気孔５３を介して開口部４２に流れ、回路基板５の画像形成部４とは反対側の面５ａ側に流れ込み、排気口２ｃから外部に空気が排気される。
【００５９】
これにより、この液晶プロジェクタ装置１では、ファン６から送り出された空気の流路中にフレキシブルケーブル５０Ｒ、５０Ｇ、５０Ｂが配置されていても、フレキシブルケーブル５０Ｒ、５０Ｇ、５０Ｂに通気孔５３が設けられていることによって、この通気孔５３を介して開口部４２に空気が流れ、排気口２ｃから空気が排気されるため、液晶表示パネル２０Ｒ、２０Ｇ、２０Ｂを冷却した空気が効率よく外部に排気され、空気が内部に籠もらず、冷却効率を向上させることができる。この液晶プロジェクタ装置１では、液晶表示パネル２０Ｒ、２０Ｇ、２０Ｂを効率よく冷却することができることによって、液晶表示パネル２０Ｒ、２０Ｇ、２０Ｂを一定温度以下に制御することができ、光源１０の消費効率を上げて、明るくしても、ファン６の風量を増やしたり、ファン６を大きくする必要がないため、騒音や消費電力の増大を防止でき、高品位な画像を映し出すことができる。
【００６０】
また、液晶プロジェクタ装置１では、フレキシブルケーブル５０に導風手段として配線５１間に通気孔５３を設けたが、このことに限定されず、図１０に示すように、フレキシブルケーブル６０を二股に分けて略中央に通気孔６１を設けるようにしてもよい。このようなフレキシブルケーブル６０を用いた場合にも、フレキシブルケーブル６０の通気孔６１を介してファン６からの空気が排気口２ｃに流れやすくなり、空気が排気口２ｃから効率良く排気されるため、液晶表示パネル２０Ｒ、２０Ｇ、２０Ｂの冷却効率が向上し、液晶表示パネル２０Ｒ、２０Ｇ、２０Ｂを一定温度以下に制御することができ、光源１０の消費効率を上げて、明るくしても、ファン６の風量を増やしたり、ファン６を大きくする必要がないため、騒音や消費電力の増大を防止でき、高品位な画像を映し出すことができる。
【００６１】
また、液晶プロジェクタ装置１では、制御回路チップ４０Ｒ、４０Ｇ、４０Ｂ及びコネクタ４１Ｒ、４１Ｇ、４１Ｂを回路基板５の画像形成部４とは反対側の面５ａ側に設けた場合、及び画像形成部４側の面に設けた場合のどちらの場合でも、ファン６を液晶表示パネル２０Ｒ、２０Ｇ、２０Ｂの下部に設けるだけではなく、光路外であれば、どのような位置に設けてもよく、例えば液晶表示パネル２０Ｒ、２０Ｇ、２０Ｂの下端の横にファン６を配置し、ファン６からの空気が液晶表示パネル２０Ｒ、２０Ｇ、２０Ｂの下端から上端に向かって流れるように、斜め上方に向かって空気を送り出す。ファン６を液晶表示パネル２０Ｒ、２０Ｇ、２０Ｂの横に置いた場合には、ファン６で発生した空気が液晶表示パネル２０Ｒ、２０Ｇ、２０Ｂに当たり、液晶表示パネル２０Ｒ、２０Ｇ、２０Ｂの上端に向かって流れ、液晶表示パネル２０Ｒ、２０Ｇ、２０Ｂの上端からフレキシブルケーブル５０Ｒ、５０Ｇ、５０Ｂの導風手段となる通気孔５３を介して開口部４２に流れ、排気口２ｃから排気される。このような液晶プロジェクタ装置１においても、液晶表示パネル２０Ｒ、２０Ｇ、２０Ｂの冷却効率が向上し、高品位な画像を映し出すことができる。
【００６２】
また、液晶プロジェクタ装置１では、フレキシブルケーブル５０に通気孔５３を設ける他に、通気孔を形成していないフレキシブルケーブルを用い、このフレキシブルケーブルに当たった空気がフレキシブルケーブルの幅方向の両端に流れ、フレキシブルケーブルの両端から開口部４２に向かって流れやすくなるように、フレキシブルケーブルの幅方向の両端に、両端の絶縁体領域の厚みを内側から外側に向かって厚くし、傾斜となるように形成し、空気が幅方向の両端から外側に向かって流れやすくなるようにした導風手段となるガイド部を設けるようにしてもよい。このような場合にも、液晶プロジェクタ装置１では、液晶表示パネル２０Ｒ、２０Ｇ、２０Ｂの冷却効率が向上し、高品位な画像を映し出すことができる。
【００６３】
また、上述した液晶プロジェクタ装置１では、３板方式のものを例に挙げて説明したが、このことに限定されず、単板式のものであってもよい。単板式の液晶プロジェクタ装置であっても、上述した３板式の液晶プロジェクタ装置１と同様に、小型化を維持したまま、液晶表示パネルの冷却効率を向上させることができ、高品位な画像を形成することができる。
【図面の簡単な説明】
【００６４】
【図１】本発明を適用した液晶プロジェクタ装置の一部を透視して示した斜視図である。
【図２】画像形成部の概略構成を模式的に示した図である。
【図３】液晶プロジェクタ装置の一部断面図である。
【図４】長辺に通気孔が形成されたフレキシブルケーブルが取り付けられた液晶表示パネルを示す平面図である。
【図５】フレキシブルケーブルの要部拡大図である。
【図６】長辺に他の例の通気孔が形成されたフレキシブルケーブルが取り付けられた液晶表示パネルの平面図である。
【図７】他の例のフレキシブルケーブルの要部拡大図である。
【図８】短辺に通気孔が形成されたフレキシブルケーブルが取り付けられた液晶表示パネルの平面図である。
【図９】短辺に他の例の通気孔が形成されたフレキシブルケーブルが取り付けられた液晶表示パネルの平面図である。
【図１０】他の例のフレキシブルケーブルが取り付けられた液晶表示パネルの平面図である。
【符号の説明】
【００６５】
１  液晶プロジェクタ装置、２  筐体、２ａ  排気口、３  スクリーン、４  画像形成部、５  回路基板、６  送風手段、１０  光源１０  ＵＶフィルタ、１２  第１のマルチレンズアレイ、１３  第２のマルチレンズアレイ、１４  ＰＳ分離合成素子、１５  コンデンサレンズ、１６  第１のダイクロイックミラー、１７  ミラー、１８Ｒ、Ｇ、Ｂフィールドレンズ、１９Ｉ  偏光板、２０Ｒ、Ｇ、Ｂ  液晶表示パネル、２１Ｓ  偏光板、２２  第２のダイクロイックミラー、２３、２５  リレーレンズ、２４、２６  ミラー、２７  クロスプリズマ、２８  投写レンズ、３０  液晶表示部、３１  フレーム、４０  制御回路チップ、４１  コネクタ、４２  開口部、５０  フレキシブルケーブル、５１  配線、５２  絶縁体、５３  通気孔
【図１】
2008298998.tif 000003
【図２】
2008298998.tif 000004
【図３】
2008298998.tif 000005
【図４】
2008298998.tif 000006
【図５】
2008298998.tif 000007
【図６】
2008298998.tif 000008
【図７】
2008298998.tif 000009
【図８】
2008298998.tif 000010
【図９】
2008298998.tif 000011
【図１０】
2008298998.tif 000012